(57)【要約】  【課題】外部入力装置の使用に当たって腕の疲れを軽減できる構成を提供すること。  【解決手段】本発明の無線機は、外部用ＰＴＴスイッチ、外部マイク、外部スピーカを有する外部入力装置と接続することができ、内蔵マイクと送信手段とを有する無線機であって、外部用ＰＴＴスイッチが押下されている間、送信手段が内蔵マイクからの信号を変調して出力するように制御するマイク制御手段を有しており、さらに、外部用ＰＴＴスイッチからの入力のみを有効にするか、外部用ＰＴＴスイッチからの入力も外部マイクからの入力も有効にするか、何れか一方を選択して設定できる設定手段を備えている。また、外部入力装置が接続されると、受信部で復調された信号が外部スピーカに出力されるように制御するスピーカ制御手段を備えている。【選択図】      図１
2007013591.tif 000002
【特許請求の範囲】
【請求項１】
外部用ＰＴＴスイッチを有する外部入力装置と接続することができ、内蔵マイクと送信手段とを有する無線機であって、
外部用ＰＴＴスイッチが押下されている間、送信手段が内蔵マイクからの信号を変調して出力するように制御するマイク制御手段を有していることを特徴とする無線機。
【請求項２】
外部マイクを備えた外部入力装置と接続することができ、
外部用ＰＴＴスイッチからの入力のみを有効にするか、外部用ＰＴＴスイッチからの入力も外部マイクからの入力も有効にするか、何れか一方を選択して設定できる設定手段を備えていることを特徴とする請求項１に記載の無線機。
【請求項３】
外部スピーカを備えた外部入力装置と接続することができ、
外部入力装置が接続されると、受信部で復調された信号が外部スピーカに出力されるように制御するスピーカ制御手段を備えていることを特徴とする請求項１または２の何れか１項に記載の無線機。
【発明の詳細な説明】
【技術分野】
【０００１】
本発明は、外部入力装置、例えば外部スピーカ・マイクを装着することができる無線機に関するものである。
【背景技術】
【０００２】
従来、この種の無線機は、内蔵マイクと内蔵ＰＴＴ（Press To Talk）スイッチを備えている。また、この無線機に装着する外部入力装置としての外部スピーカ・マイクも外部用ＰＴＴスイッチを備えている。
そして、このような外部スピーカ・マイクを無線機に接続した場合、内蔵ＰＴＴスイッチは無効化されて、外部用ＰＴＴスイッチが有効となり、内蔵マイクからの入力は変調されることなく、外部スピーカ・マイクからの入力のみが変調されて送信されるように構成されている。
【０００３】
このような無線機の使用形態の一つに、肩付近に取り付けて使用する形態がある。この際、内蔵マイクが口元に近い位置（肩付近）に固定されているので、マイクを手に保持して通話する必要が無いという点で便利であるが、反面、内蔵ＰＴＴスイッチも肩付近にあるため、内蔵ＰＴＴスイッチを押下するためには、常に手を肩付近に位置させておく必要があり、腕が疲れるという問題がある。
【０００４】
また、無線機に外部スピーカ・マイクを装着すると、外部スピーカ・マイクを常に口元に保持する必要があり、これもまた、腕が疲れるという問題がある。
【０００５】
このような課題を解決するための構成の一つが特開平9-172697号公報（特許文献１）において提案されている。
【０００６】
【特許文献１】特開平9-172697号公報
【発明の開示】
【発明が解決しようとする課題】
【０００７】
特許文献１においては、外部用ＰＴＴスイッチとヘッドセットを別々に無線機に装着する構成が提案されているが、このような構成は複雑となる。
【０００８】
そこで、本発明は、複雑でない構成であって、しかも、常に手を肩付近に位置させておく必要も、外部スピーカ・マイクを常に口元に保持する必要もなく、使用に当たって腕の疲れを軽減できる構成を提供することを目的としてなされたものである。
【課題を解決するための手段】
【０００９】
請求項１の無線機は、
外部用ＰＴＴスイッチを有する外部入力装置と接続することができ、内蔵マイクと送信手段とを有する無線機であって、
外部用ＰＴＴスイッチが押下されている間、送信手段が内蔵マイクからの信号を変調して出力するように制御するマイク制御手段を有していることを特徴としている。
請求項２の無線機は、
さらに、外部マイクを備えた外部入力装置と接続することができ、
外部用ＰＴＴスイッチからの入力のみを有効にするか、外部用ＰＴＴスイッチからの入力も外部マイクからの入力も有効にするか、何れか一方を選択して設定できる設定手段を備えていることを特徴としている。
請求項３の無線機は、
さらに、外部スピーカを備えた外部入力装置と接続することができ、
外部入力装置が接続されると、受信部で復調された信号が外部スピーカに出力されるように制御するスピーカ制御手段を備えていることを特徴としている。
【発明の効果】
【００１０】
請求項１の無線機によれば、
外部用ＰＴＴスイッチが押下されている間、送信手段が内蔵マイクからの信号を変調して出力するように制御するマイク制御手段を有しているので、
外部用ＰＴＴスイッチと内蔵マイクとを有効にして使用でき、腕の疲れを軽減するような種々の使用形態に対応できる。
請求項２の無線機によれば、
さらに、外部マイクを備えた外部入力装置と接続することができ、
外部用ＰＴＴスイッチからの入力のみを有効にするか、外部用ＰＴＴスイッチからの入力も外部マイクからの入力も有効にするか、何れか一方を選択して設定できる設定手段を備えているので、
外部用ＰＴＴスイッチと内蔵マイクとを有効にした使用形態と、
外部用ＰＴＴスイッチも外部マイクも有効にした使用形態との、何れか一方を状況に応じて選択して設定でき、腕の疲れを軽減するような種々の使用形態に対応できる。
請求項３の無線機によればは、
さらに、外部スピーカを備えた外部入力装置と接続することができ、
外部入力装置が接続されると、受信部で復調された信号が外部スピーカに出力されるように制御するスピーカ制御手段を備えているので、
外部入力装置を有効にした使用形態で、さらに、外部スピーカも有効にでき、腕の疲れを軽減するような種々の使用形態に対応できる。
【発明を実施するための最良の形態】
【００１１】
本発明の実施形態は、図１に示したように、
外部入力装置Ａと、無線機Ｂとが接続可能に構成され、前記外部入力装置Ａには、外部用ＰＴＴスイッチＡ１と外部マイクＡ２と外部スピーカＡ３が備えられ、前記無線機Ｂには、内蔵ＰＴＴスイッチＢ１と内蔵マイクＢ２と内蔵スピーカＢ３が備えられている。
また、前記無線機Ｂには、通常のアンテナ、受信手段を構成する受信部及び復調部、送信手段Ｂ７を構成する変調部等の構成に加えて、外部用ＰＴＴスイッチが押下されている間、送信手段が内蔵マイクからの信号を変調して出力するように制御するマイク制御手段Ｂ４が備えられている。
さらに、外部用ＰＴＴスイッチＡ１からの入力のみを有効にして外部マイクＡ２からの入力は無効にするか、外部用ＰＴＴスイッチＡ１からの入力も外部マイクＡ２からの入力も有効にするかの、何れかを選択する設定手段Ｂ５が備えられている。
さらに、前記無線機Ｂには、外部入力装置Ａが装着されると、受信部で復調された信号が外部スピーカＡ３に出力されるように制御するスピーカ制御手段Ｂ６も備えている。
【００１２】
以上の構成によって、
外部用ＰＴＴスイッチが押下されている間、送信手段が内蔵マイクからの信号を変調して出力するように制御するので、外部用ＰＴＴスイッチと内蔵マイクとを有効できる。
また、設定手段Ｂ５によって、外部用ＰＴＴスイッチＡ１からの入力のみを有効にして外部マイクＡ２からの入力は無効にするように選択されている場合には、手で操作する外部用ＰＴＴスイッチＡ１を口元に保持する必要はないので、腕の疲れを軽減できる。
また、設定手段Ｂ５によって、外部用ＰＴＴスイッチＡ１からの入力も外部マイクＡ２からの入力も有効にするように選択されている場合には、従来のように、外部入力装置Ａを口元に持ってきて外部マイクＡ２と外部用ＰＴＴスイッチＡ１とを使用できる。
【００１３】
さらに、前記無線機Ｂに外部入力装置Ａが装着されている場合には、スピーカ制御手段Ｂ６によって、受信部で復調された信号が外部スピーカＡ３に出力されるように制御されるので、従来のように、受信内容を外部スピーカＡ３で聞くことができる。
以上のような効果は、無線機側に備えている構成（マイク制御手段Ｂ４，設定手段Ｂ５，スピーカ制御手段Ｂ６）によって実現しているので、外部入力装置Ａとしては、従来のように、外部用ＰＴＴスイッチＡ１と外部マイクＡ２と外部スピーカＡ３を備えたものを使用できる。
【実施例１】
【００１４】
以下に、本発明にかかる無線機の実施例１を、図２、図３を参照して説明する。
各図において、
符号３０は本発明にかかる無線機であり、内蔵ＰＴＴスイッチ３６、設定部３４、内蔵マイク３７、内蔵スピーカ３８を備えている。そして、外部入力装置としての外部スピーカ・マイク１０を接続して使用できるように構成されている。
【００１５】
前記無線機３０と外部スピーカ・マイク１０とは、外部スピーカ・マイク１０のプラグ２０を、無線機３０の接続部２１に挿入することで接続される。
前記外部スピーカ・マイク１０は、外部用ＰＴＴスイッチ１１、外部マイク１２、外部スピーカ１３を備えている。
【００１６】
前記設定部３４は、外部スピーカ・マイク１０が無線機３０に接続されている状態で、外部スピーカ・マイク１０から無線機３０への入力に対して、外部用ＰＴＴスイッチ１１からの入力のみを有効にして外部マイクからの入力は無効にするか、外部用ＰＴＴスイッチ１１からの入力も外部マイク１２からの入力も有効にするかの、何れかを選択して設定するように構成されている。
【００１７】
外部スピーカ・マイク１０が無線機３０に接続されていない状態では、無線機３０は、アンテナ３１で受信された信号は受信部３３で復調され、内蔵スピーカ３８に出力されるように構成されている。
また、内蔵ＰＴＴスイッチ３６が押下された場合、内蔵マイク３７から入力された信号は制御部３５を介して送信部３２に送られ、変調されて、アンテナ３１から出力されるように構成されている。
【００１８】
外部スピーカ・マイク１０が無線機３０に接続されている状態では、受信部３３と内蔵スピーカ３８との接続は、受信部３３と外部スピーカ１３との接続に自動的に切り替えられて、復調された信号は外部スピーカ１３から出力される。
【００１９】
また、外部スピーカ・マイク１０が接続されると、設定部３４の設定条件に応じて、制御部３５が有効とするマイクとＰＴＴスイッチとが設定される。
例えば、設定部３４で、外部用ＰＴＴスイッチ１１からの入力のみが有効になるように設定されている場合には、制御部３５は制御用トランジスタ３９をオンにして、外部用ＰＴＴスイッチ１１が押下されている間、内蔵マイク３７からの信号が送信部３２で変調されて、アンテナ３１から出力されるように制御する。
また、例えば、設定部３４で、外部用ＰＴＴスイッチ１１からの入力も外部マイク１２からの入力も有効になるように設定されている場合には、制御部３５は制御用トランジスタ３９をオフにして、外部用ＰＴＴスイッチ１１が押下されている間、外部マイク１２からの信号が送信部３２で変調されて、アンテナ３１から出力されるように制御する。
【００２０】
なお、外部スピーカ・マイク１０は、外部マイク１２と外部スピーカ１３とを有するものである必要はなく、外部用ＰＴＴスイッチ１１のみを備えた外部入力装置でもよい。
【図面の簡単な説明】
【００２１】
【図１】本発明にかかる無線機の実施形態のブロック図である。
【図２】本発明にかかる無線機の実施例の外観図である。
【図３】前記無線機の回路構成図である。
【符号の説明】
【００２２】
Ａ，１０  外部入力装置
Ａ１，１１  外部用ＰＴＴスイッチ
Ａ２，１２  外部マイク
Ａ３，１３  外部スピーカ
Ｂ，３０  無線機
Ｂ１，３６  内蔵ＰＴＴスイッチ
Ｂ２，３７  内蔵マイク
Ｂ３，３８  内蔵スピーカ
Ｂ４，３５  マイク制御手段、制御部
Ｂ５，３４  設定手段，設定部
Ｂ６，３５  スピーカ制御手段、制御部
Ｂ７，３１，３２  送信手段、アンテナ、送信部
【図１】
2007013591.tif 000003
【図２】
2007013591.tif 000004
【図３】
2007013591.tif 000005